(57)【要約】      （修正有）【課題】個人用ミニ人工衛星で宇宙観測・地球観測・火星などの旅の風景、宇宙への旅への風景をリアルタイムに眺められ、またスクリーンセーバーやパソコンの壁紙に利用出来るシステムを提供する。【解決手段】他の用途を持つ人工衛星あるいはスペースシャトルに超多数の個人用ミニ人工衛星１を詰め込んだサーバー用人工衛星２を積み込み発射する。そしてサーバー用人工衛星やスペースシャトルが個人用ミニ人工衛星を地球一周するぐらいできるぐらいに個人用ミニ人工衛星を放出する。この個人用ミニ人工衛星が、相互通信することによって、サーバー用人工衛星にデータを送る。そしてサーバー用人工衛星がこれらのデータを、地上のアンテナに送信し、インターネット上をとおして、個人のパソコンに個人用ミニ人工衛星の画像を送信する。個人は、この画像を自分の好きな時に見るか、または、壁紙やスクリーンセーバーにすることが出来る。【選択図】  図５
2006051945.tif 000002
【特許請求の範囲】
【請求項１】
他の用途を持つ人工衛星ともにに超多数の「個人用のミニ人工衛星」を詰め込んだ「サーバー用人工衛星」ロッケトに載せるか、スペースシャトルに超多数の「個人用ミニ衛星」を詰め込んだ「サーバー用人工衛星」を積み込み発射する。そしてサーバー用人工衛星やスペースシャトルが「小さな個人用の衛星」を地球一周するぐらいできるぐらいに「個人用ミニ人工衛星」を放出する。この個人用のミニ人工衛星が、相互通信することによって、サーバー用人工衛星にデータを送る。そして、サーバー用人工衛星がこれらのデータを、地上のアンテナに送信し、インターネット上をとおして、個人のパソコンに、「個人用ミニ人工衛星」の画像を送信する。個人は、この画像を自分の好きな時に見るか、または、壁紙やスクリーンセーバーにすることが出来る。また、「個人用ミニ人工衛星」と「システム」を販売することによって、その他の人工衛星打ち上げるための「宇宙開発事業団」など宇宙関連の会社・団体の予算にする。
【発明の詳細な説明】
【技術分野】
【０００１】  個人用ミニ人工衛星で宇宙観測・地球観測・火星などの旅の風景、宇宙への旅への風景をリアルタイムに眺められ・スクリーンセーバー的にパソコンの壁紙的に出来るシステム
【背景技術】
【０００２】  個人的に自由に地球・宇宙を観察気軽に観察できなかった。【０００３】  地球が丸いため、地球・宇宙の一部しか、見られなかった。【０００４】  火星への旅、果てしない宇宙の旅を個人的に実感できなかった。【０００５】  宇宙関係の会社・団体の予算等が膨大である。
【発明の開示】
【課題を解決するための手段】
【０００６】  他の用途を持つ人工衛星ともに「サーバー用人工衛星」に「個人用のミニ人工衛星」をロッケトに積み込むか、スペースシャトルに「個人用ミニ衛星」と「サーバー用人工衛星」を積み込み発射する。そしてサーバー用人工衛星やスペースシャトルが「小さな個人用ミニ人工衛星」を地球一周するぐらいできるぐらいに「個人用ミニ人工衛星」を放出する。この個人用ミニ人工衛星が、相互通信することによって、サーバー用人工衛星にデータを送る。そして、サーバー用人工衛星がこれらのデータを、地上のアンテナに送信し、インターネット上をとおして、個人のパソコンに、「個人用ミニ人工衛星」の画像を送信する。個人は、この画像を自分の好きな時に眺められるか、または、壁紙やスクリーンセーバーにすることが出来る。【０００７】  「個人用ミニ人工衛星」と「システム」を販売することによって、その他の人工衛星打ち上げるための「宇宙開発事業団」など宇宙関連の会社・団体の予算にする。
【発明の効果】
【０００８】  個人的に宇宙・地球観測を気軽に眺められ、また宇宙旅行気分を味わえる。【０００９】  宇宙関係の会社・団体の人工衛星・スペースシャトルを打ち上げるのに莫大な予算が獲得できる。
【発明を実施するための最良の形態】
【００１０】  サーバー用人工衛星やスペースシャトルが「小さな個人用の衛星」を地球一周するぐらいできるぐらいに「個人用ミニ人工衛星」を放出して、この個人用のミニ人工衛星が、相互通信することによって、サーバー用人工衛星にデータを送る。そして、サーバー用人工衛星がこれらのデータを、地上のアンテナに送信し、インターネット上をとおして、個人のパソコンに「個人用ミニ人工衛星」の画像を送信する。【００１１】  「個人用ミニ人工衛星」を販売することによって宇宙関係の会社・団体の人工衛星・スペースシャトルを打ち上げるのに莫大な予算が獲得できる。
【実施例１】
【００１２】  他の用途を持つ人工衛星ともに「サーバー用人工衛星」に「個人用のミニ人工衛星」をロッケトに積み込むか、スペースシャトルに「個人用ミニ衛星」と「サーバー用人工衛星」を積み込み発射する。
このサーバー用人工衛星やスペースシャトルが「小さな個人用の衛星」を地球一周するぐらいできるぐらいに「個人用ミニ人工衛星」を放出する。
次に、この個人用のミニ人工衛星が、相互通信することによって、サーバー用人工衛星にデータを送る。
そして、サーバー用人工衛星がこれらのデータを、地上のアンテナに送信し、インターネット上をとおして、個人のパソコンに、「個人用ミニ人工衛星」の画像を送信する。個人は、この画像を自分の好きな時に見るか、または、壁紙やスクリーンセーバーにする。
【実施例２】
【００１３】  「個人用ミニ人工衛星」と「システム」を販売することによって、その他の人工衛星打ち上げるための「宇宙開発事業団」など宇宙関連の会社・団体の予算にする。
【産業上の利用可能性】
【００１４】  自分の好きな時に地球・宇宙をみれ・天体観測ができ、また宇宙旅行の気分が味わえ、幸せな気分になる。【００１５】  「宇宙開発事業団」など宇宙関連の会社・団体の予算に成り、コストがかかる宇宙事業が活性化する。
【図面の簡単な説明】
【００１６】
【図１】個人用ミニ人工衛星の
【図２】「他の目的の人工衛星」と一緒に「個人用ミニ人工衛星」を詰め込んだ「サーバー用人工衛星」を搭載した「ロケット」が発射する直前の図。
【図３】発射されたロケットから「他の目的の人工衛星」と「サーバー用人工衛星」が飛び出し「サーバー用人工衛星」が「個人用ミニ人工衛星」を放出する図
【図４】スペースシャトルが「個人用ミニ人工衛星」を放出する図
【図５】「個人用ミニ人工衛星」を地球一周するぐらいできるぐらいに「個人用ミニ人工衛星」を放出し、この「個人用ミニ人工衛星」の相互通信することによって、サーバー用人工衛星にデータを送る。そして、サーバー用人工衛星がこれらのデータを、地上のアンテナに送信し、インターネット上をとおして、個人のパソコンに、「個人用ミニ人工衛星」の画像を送信する図。個人は、この画像を自分の好きな時に見るか、または、壁紙やスクリーンセーバーにする図。
【図６】個人用ミニ人口衛星が火星や果てしない宇宙への旅にでる図
【符号の説明】
【００１７】  １  個人用ミニ人工衛星
２  サーバー用人工衛星
３  他の目的の人工衛星
４  ロケット
５  スペースシャトル
６  個人用ミニ人工衛星で相互通信
７  地上アンテナ
８  インターネット回線
９  パソコン
【図１】
2006051945.tif 000003
【図２】
2006051945.tif 000004
【図３】
2006051945.tif 000005
【図４】
2006051945.tif 000006
【図５】
2006051945.tif 000007
【図６】
2006051945.tif 000008